(57)【要約】【課題】熱膨張性シートを適切に膨張させることが可能な膨張装置、立体画像形成システム、熱膨張性シートの膨張方法及びプログラムを提供する。【解決手段】膨張装置５０において、照射部６０は、熱膨張性シート１００に光を照射する。搬送モータ５５は、熱膨張性シート１００と照射部６０とを相対的に移動させる。送風部６４は、照射部６０に送風することによって、照射部６０を冷却する。制御基板７０は、搬送モータ５５によって熱膨張性シート１００と照射部６０とを相対的に移動させながら照射部６０に光を照射させることによって、熱膨張性シート１００を膨張させる膨張処理を実行する。制御基板７０は、膨張処理において、照射部６０に光を照射させている間は、照射部６０に向けた送風を停止する又は弱めるように送風部６４を制御する。【選択図】図６
2019001137.tif 000002
【特許請求の範囲】
【請求項１】
熱膨張性シートに光を照射する照射手段と、
前記熱膨張性シートと前記照射手段とを相対的に移動させる移動手段と、
前記照射手段に送風することによって、前記照射手段を冷却する送風手段と、
前記移動手段によって前記熱膨張性シートと前記照射手段とを相対的に移動させながら前記照射手段に光を照射させることによって、前記熱膨張性シートを膨張させる膨張処理を実行する制御手段と、
を備え、
前記制御手段は、前記膨張処理において、前記照射手段に光を照射させている間は、当該照射手段に向けた送風を停止する又は弱めるように前記送風手段を制御する、
ことを特徴とする膨張装置。
【請求項２】
前記制御手段は、前記膨張処理を実行した後、前記照射手段に光の照射を停止させてから、前記送風手段に送風を開始させる、
ことを特徴とする請求項１に記載の膨張装置。
【請求項３】
前記移動手段は、前記照射手段を、前記熱膨張性シートに沿って移動させ、
前記制御手段は、前記移動手段によって前記照射手段を第１の方向に移動させながら前記膨張処理を実行し、前記移動手段によって前記照射手段を前記第１の方向とは逆の第２の方向に移動させながら前記送風手段に送風させる、
ことを特徴とする請求項２に記載の膨張装置。
【請求項４】
前記熱膨張性シートは、前記膨張処理において、規定の温度以上に加熱されることによって膨張し、
前記制御手段は、前記熱膨張性シートが前記規定の温度未満に維持されるように、前記移動手段によって前記熱膨張性シートと前記照射手段とを相対的に移動させながら前記照射手段に光を照射させることによって、前記熱膨張性シートを乾燥させる、
ことを特徴とする請求項１から３のいずれか１項に記載の膨張装置。
【請求項５】
前記制御手段は、前記熱膨張性シートを乾燥させた後、前記照射手段に光の照射を停止させてから、前記送風手段に送風を開始させる、
ことを特徴とする請求項４に記載の膨張装置。
【請求項６】
前記制御手段は、前記膨張処理を実行する前に、前記照射手段に光を照射させることによって、前記照射手段を予備的に加熱する予熱処理を実行し、前記予熱処理を実行した後、前記照射手段に光の照射を停止させてから、前記送風手段に送風を開始させることによって、前記照射手段の温度を予め設定された温度に低下させる、
ことを特徴とする請求項１から５のいずれか１項に記載の膨張装置。
【請求項７】
請求項１から６のいずれか１項に記載の膨張装置と、
前記熱膨張性シートの表面又は裏面に、前記照射手段から照射される光を熱に変換する光熱変換層を印刷する印刷装置と、を備え、
前記制御手段は、前記印刷装置によって前記光熱変換層が印刷された前記熱膨張性シートと前記照射手段とを相対的に移動させながら、前記照射手段に光を照射させることによって、前記熱膨張性シートのうちの前記光熱変換層が印刷された部分を膨張させる、
ことを特徴とする立体画像形成システム。
【請求項８】
膨張装置が実行する熱膨張性シートの膨張方法であって、
前記熱膨張性シートに光を照射する照射部に送風することによって、前記照射部を冷却する送風ステップと、
前記熱膨張性シートと前記照射部とを相対的に移動させながら前記照射部に光を照射させることによって、前記熱膨張性シートを膨張させる膨張処理を実行する制御ステップと、
を含み、
前記制御ステップでは、前記膨張処理において前記照射部に光を照射させている間は、前記照射部に向けた送風を停止する又は弱めるようにする、
ことを特徴とする熱膨張性シートの膨張方法。
【請求項９】
コンピュータを、
熱膨張性シートと、前記熱膨張性シートに光を照射する照射部と、を相対的に移動させる移動手段、
前記照射部に送風することによって、前記照射部を冷却する送風手段、
前記移動手段によって前記熱膨張性シートと前記照射部とを相対的に移動させながら前記照射部に光を照射させることによって、前記熱膨張性シートを膨張させる膨張処理を実行する制御手段、
として機能させ、
前記制御手段は、前記膨張処理において、前記照射部に光を照射させている間は、前記照射部に向けた送風を停止する又は弱めるように前記送風手段を制御する、
ように機能させるためのプログラム。
【発明の詳細な説明】
【技術分野】
【０００１】
本発明は、膨張装置、立体画像形成システム、熱膨張性シートの膨張方法及びプログラムに関する。
【背景技術】
【０００２】
立体画像を形成する技術が知られている。例えば、特許文献１，２は、熱膨張性シートを使用した立体画像の形成方法を開示している。具体的に説明すると、特許文献１，２に開示された方法では、熱膨張性シートの裏面に光吸収特性の優れた材料でパターンを形成し、形成されたパターンに照射手段によって光を照射することで加熱する。これにより、熱膨張性シートにおけるパターンが形成された部分が膨張して盛り上がり、立体画像が形成される。
【先行技術文献】
【特許文献】
【０００３】
【特許文献１】特開昭６４−２８６６０号公報
【特許文献２】特開２００１−１５０８１２号公報
【発明の概要】
【発明が解決しようとする課題】
【０００４】
照射手段が光を照射すると、照射手段の温度は上昇する。そのため、照射手段の温度を調整するために、照射手段に送風して照射手段を冷却することがある。照射手段に送風する場合、照射手段による光の照射と照射手段への送風とを同時に行うと、送風による空気の流れによって熱膨張性シートの加熱のされ方が変わって、熱膨張性シートが適切に膨張し難くなる、との課題がある。
【０００５】
本発明は、以上のような課題を解決するためのものであり、熱膨張性シートを適切に膨張させることが可能な膨張装置、立体画像形成システム、熱膨張性シートの膨張方法及びプログラムを提供することを目的とする。
【課題を解決するための手段】
【０００６】
上記目的を達成するため、本発明に係る膨張装置は、
熱膨張性シートに光を照射する照射手段と、
前記熱膨張性シートと前記照射手段とを相対的に移動させる移動手段と、
前記照射手段に送風することによって、前記照射手段を冷却する送風手段と、
前記移動手段によって前記熱膨張性シートと前記照射手段とを相対的に移動させながら前記照射手段に光を照射させることによって、前記熱膨張性シートを膨張させる膨張処理を実行する制御手段と、
を備え、
前記制御手段は、前記膨張処理において、前記照射手段に光を照射させている間は、当該照射手段に向けた送風を停止する又は弱めるように前記送風手段を制御する、
ことを特徴とする。
【発明の効果】
【０００７】
本発明によれば、熱膨張性シートを適切に膨張させることができる。
【図面の簡単な説明】
【０００８】
【図１】本発明の実施形態に係る熱膨張性シートの断面図である。
【図２】図１に示した熱膨張性シートの裏面を示す図である。
【図３】本発明の実施形態に係る立体画像形成システムの概略構成を示す図である。
【図４】本発明の実施形態に係る端末装置の構成を示すブロック図である。
【図５】本発明の実施形態に係る印刷装置の構成を示す斜視図である。
【図６】本発明の実施形態に係る膨張装置の構成を示す断面図である。
【図７】本発明の実施形態に係る膨張装置の制御部の構成を示すブロック図である。
【図８】本発明の実施形態に係る膨張装置が膨張処理を実行する様子を示す図である。
【図９】本発明の実施形態に係る膨張装置が冷却処理を実行する様子を示す図である。
【図１０】本発明の実施形態における立体画像形成処理の流れを示すフローチャートである。
【図１１】（ａ）〜（ｅ）は、図１に示した熱膨張性シートに立体画像が形成される様子を段階的に示す図である。
【図１２】本発明の実施形態に係る膨張装置によって実行される処理の流れを示すフローチャートである。
【図１３】本発明の実施形態に係る膨張装置によって実行される予熱処理の流れを示すフローチャートである。
【図１４】本発明の実施形態に係る膨張装置によって実行される表面及び裏面発泡処理の流れを示すフローチャートである。
【図１５】本発明の実施形態に係る膨張装置によって実行される表面乾燥処理の流れを示すフローチャートである。
【発明を実施するための形態】
【０００９】
以下、本発明の実施形態について、図面を参照して説明する。なお、図中同一又は相当する部分には同一符号を付す。
【００１０】
＜熱膨張性シート１００＞
図１に、本実施形態に係る立体画像形成システム１によって立体画像を形成するための熱膨張性シート１００の構成を示す。熱膨張性シート１００は、予め選択された部分が加熱により膨張することによって立体画像が形成される媒体である。立体画像とは、２次元状のシートにおいて、シートのうちの一部分がシートに垂直な方向に膨張することによって形成される３次元状の画像である。
【００１１】
図１に示すように、熱膨張性シート１００は、基材１０１と、熱膨張層１０２と、インク受容層１０３とを、この順に備えている。なお、図１は、立体画像が形成される前、すなわちどの部分も膨張していない状態における熱膨張性シート１００の断面を示している。
【００１２】
基材１０１は、熱膨張性シート１００の元となるシート状の媒体である。基材１０１は、熱膨張層１０２とインク受容層１０３とを支持する支持体であって、熱膨張性シート１００の強度を保持する役割を担う。基材１０１として、例えば、一般的な印刷用紙を用いることができる。或いは、基材１０１の材質は、合成紙、キャンバス地等の布、ポリプロピレン、ポリエチレンテレフタレート（ＰＥＴ）、ポリブチレンテレフタレート（ＰＢＴ）等のプラスチックフィルムであっても良く、特に限定されるものではない。
【００１３】
熱膨張層１０２は、基材１０１の上側に積層されており、規定の温度以上に加熱されることによって膨張する層である。熱膨張層１０２は、バインダと、バインダ内に分散配置された熱膨張剤と、を含む。バインダは、酢酸ビニル系ポリマー、アクリル系ポリマー等の熱可塑性樹脂である。熱膨張剤は、プロパン、ブタン等の低沸点で気化する物質を、熱可塑性樹脂の外殻に内包した、粒径が約５〜５０μｍの熱膨張性のマイクロカプセルである。熱膨張剤は、例えば８０℃から１２０℃程度の温度に加熱されると、内包している物質が気化し、その圧力によって発泡及び膨張する。このようにして、熱膨張層１０２は、吸収した熱量に応じて膨張する。熱膨張剤は、発泡剤とも呼ぶ。
【００１４】
インク受容層１０３は、熱膨張層１０２の上側に積層された、インクを吸収して受容する層である。インク受容層１０３は、インクジェット方式のプリンタに用いられる印刷用のインク、レーザー方式のプリンタに用いられる印刷用のトナー、ボールペン又は万年筆のインク、鉛筆の黒鉛等を受容する。インク受容層１０３は、これらを表面に定着させるための好適な材料によって形成される。インク受容層１０３の材料として、例えば、インクジェット用紙に用いられている汎用的な材料を用いることができる。
【００１５】
図２に、熱膨張性シート１００の裏面を示す。熱膨張性シート１００の裏面とは、熱膨張性シート１００の基材１０１側の面であって、基材１０１の裏面に相当する。これに対して、熱膨張性シート１００の表面とは、熱膨張性シート１００のインク受容層１０３側の面であって、インク受容層１０３の表面に相当する。
【００１６】
図２に示すように、熱膨張性シート１００の裏面には、その縁部に沿って複数のバーコードＢが付されている。バーコードＢは、熱膨張性シート１００を識別するための識別子であって、熱膨張性シート１００が立体画像を形成するための専用のシートであることを示す情報である。バーコードＢは、後述する立体画像形成システム１の膨張装置５０によって読み取られ、膨張装置５０において熱膨張性シート１００の使用の可否を判定するための識別子である。
【００１７】
＜立体画像形成システム１＞
次に、図３を参照して、熱膨張性シート１００に立体画像を形成するための立体画像形成システム１について説明する。図３に示すように、立体画像形成システム１は、端末装置３０と、印刷装置４０と、膨張装置５０と、を備える。
【００１８】
端末装置３０は、パーソナルコンピュータ、スマートフォン、タブレット等の情報処理装置であって、印刷装置４０及び膨張装置５０を制御する制御ユニットである。図４に示すように、端末装置３０は、制御部３１と、記憶部３２と、操作部３３と、表示部３４と、記録媒体駆動部３５と、通信部３６と、を備える。これら各部は、信号を伝達するためのバスによって接続されている。
【００１９】
制御部３１は、ＣＰＵ（Central Processing Unit）、ＲＯＭ（Read Only Memory）及びＲＡＭ（Random Access Memory）を備える。制御部３１において、ＣＰＵが、ＲＯＭに記憶されている制御プログラムを読み出して、ＲＡＭをワークメモリとして用いながら、端末装置３０全体の動作を制御する。
【００２０】
記憶部３２は、フラッシュメモリ、ハードディスク等の不揮発性メモリである。記憶部３２は、制御部３１によって実行されるプログラム又はデータ、及び、印刷装置４０によって印刷されるカラー画像データ、表面発泡データ及び裏面発泡データを記憶する。
【００２１】
操作部３３は、キーボード、マウス、ボタン、タッチパッド、タッチパネル等の入力装置を備えており、ユーザから操作を受け付ける。ユーザは、操作部３３を操作することによって、カラー画像データ、表面発泡データ及び裏面発泡データを編集する操作、印刷装置４０又は膨張装置５０に対する操作等を入力することができる。
【００２２】
表示部３４は、液晶ディスプレイ、有機ＥＬ（Electro Luminescence）ディスプレイ等の表示装置と、表示装置に画像を表示させる表示駆動回路と、を備える。例えば、表示部３４は、カラー画像データ、表面発泡データ及び裏面発泡データを表示する。また、表示部３４は、必要に応じて、印刷装置４０又は膨張装置５０の現在の状態を示す情報を表示する。
【００２３】
記録媒体駆動部３５は、可搬型の記録媒体に記録されているプログラム又はデータを読み出す。可搬型の記録媒体とは、ＣＤ（Compact Disc）−ＲＯＭ、ＤＶＤ（Digital Versatile Disc）−ＲＯＭ、ＵＳＢ（Universal Serial Bus）規格のコネクタが備えられているフラッシュメモリ等である。例えば、記録媒体駆動部３５は、カラー画像データ、表面発泡データ及び裏面発泡データを、可搬型の記録媒体から読み出して取得する。
【００２４】
通信部３６は、印刷装置４０及び膨張装置５０を含む外部の装置と通信するためのインタフェースを備える。端末装置３０は、フレキシブルケーブル、有線ＬＡＮ（Local Area Network）等の有線、又は、無線ＬＡＮ、Ｂｌｕｅｔｏｏｔｈ（登録商標）等の無線を介して印刷装置４０及び膨張装置５０と接続されている。通信部３６は、制御部３１の制御の下、これらのうちの少なくとも１つの通信規格に従って、印刷装置４０及び膨張装置５０と通信する。
【００２５】
＜印刷装置４０＞
印刷装置４０は、熱膨張性シート１００の表面又は裏面に画像を印刷する印刷ユニットである。印刷装置４０は、インクを微滴化し、被印刷媒体に対して直接に吹き付ける方式で画像を印刷するインクジェットプリンタである。
【００２６】
図５に、印刷装置４０の詳細な構成を示す。図５に示すように、印刷装置４０は、熱膨張性シート１００が搬送される方向である副走査方向Ｄ１（Ｙ方向）に直交する主走査方向Ｄ２（Ｘ方向）に往復移動可能なキャリッジ４１を備える。
【００２７】
キャリッジ４１には、印刷を実行する印刷ヘッド４２と、インクを収容したインクカートリッジ４３（４３ｋ，４３ｃ，４３ｍ，４３ｙ）が取り付けられている。インクカートリッジ４３ｋ，４３ｃ，４３ｍ，４３ｙには、それぞれ、ブラックＫ、シアンＣ、マゼンタＭ、及びイエローＹの色インクが収容されている。各色のインクは、印刷ヘッド４２の対応するノズルから吐出される。
【００２８】
キャリッジ４１は、ガイドレール４４に滑動自在に支持されており、駆動ベルト４５に狭持されている。キャリッジ４１は、モータ４５ｍの回転により駆動ベルト４５が駆動することで、印刷ヘッド４２及びインクカートリッジ４３と共に、主走査方向Ｄ２に移動する。
【００２９】
フレーム４７の下部には、印刷ヘッド４２と対向する位置に、プラテン４８が設けられている。プラテン４８は、主走査方向Ｄ２に延在しており、熱膨張性シート１００の搬送路の一部を構成している。熱膨張性シート１００の搬送路には、給紙ローラ対４９ａ（下のローラは不図示）と排紙ローラ対４９ｂ（下のローラは不図示）とが設けられている。給紙ローラ対４９ａと排紙ローラ対４９ｂとは、プラテン４８に支持された熱膨張性シート１００を副走査方向Ｄ１に搬送する。
【００３０】
印刷装置４０は、フレキシブル通信ケーブル４６を介して端末装置３０と接続されている。端末装置３０は、フレキシブル通信ケーブル４６を介して、印刷ヘッド４２、モータ４５ｍ、給紙ローラ対４９ａ及び排紙ローラ対４９ｂを制御する。具体的に説明すると、端末装置３０は、給紙ローラ対４９ａ及び排紙ローラ対４９ｂを制御して、熱膨張性シート１００を搬送させる。また、端末装置３０は、モータ４５ｍを回転させてキャリッジ４１を移動させ、印刷ヘッド４２を主走査方向Ｄ２の適切な位置に搬送させる。
【００３１】
印刷装置４０は、端末装置３０から画像データを取得し、取得した画像データに基づいて印刷を実行する。具体的に説明すると、印刷装置４０は、画像データとして、カラー画像データと表面発泡データと裏面発泡データとを取得する。カラー画像データは、熱膨張性シート１００の表面に印刷するカラー画像を示すデータである。印刷装置４０は、印刷ヘッド４２に、シアンＣ、マゼンタＭ及びイエローＹの各インクを熱膨張性シート１００に向けて噴射させて、カラー画像を印刷する。
【００３２】
これに対して、表面発泡データは、熱膨張性シート１００の表面において発泡及び膨張させる部分を示すデータである。また、裏面発泡データは、熱膨張性シート１００の裏面において発泡及び膨張させる部分を示すデータである。印刷装置４０は、印刷ヘッド４２に、カーボンブラックを含むブラックＫの黒色インクを熱膨張性シート１００に向けて噴射させて、黒色による濃淡画像（濃淡パターン）を印刷する。カーボンブラックを含む黒色インクは、光を熱に変換する材料の一例である。
【００３３】
＜膨張装置５０＞
膨張装置５０は、熱膨張性シート１００の表面又は裏面に光を照射し、熱膨張性シート１００の表面又は裏面に印刷された濃淡画像を発熱させて、熱膨張性シート１００のうちの濃淡画像が印刷された部分を膨張させる膨張ユニットである。
【００３４】
図６に、膨張装置５０の構成を模式的に示す。図６において、Ｘ方向は、膨張装置５０の幅方向に相当し、Ｙ方向は、膨張装置５０の長手方向に相当し、Ｚ方向は、鉛直方向に相当する。Ｘ方向とＹ方向とＺ方向とは、互いに直交する。図６に示すように、膨張装置５０は、筐体５１と、挿入部５２と、トレイ５３と、換気部５４と、搬送モータ５５と、搬送レール５６と、照射部６０と、電源基板６９と、制御基板７０と、を備える。
【００３５】
挿入部５２は、開閉式の扉を備えており、立体画像を形成する対象となる熱膨張性シート１００を筐体５１の内部に挿入するための機構である。ユーザは、挿入部５２を開き、トレイ５３をスライドさせて手前側に引き出した後、熱膨張性シート１００をその表面又は裏面を上に向けてトレイ５３の上に設置する。このとき、ユーザは、熱膨張性シート１００のバーコードＢが付された端部が奥側に位置するように、熱膨張性シート１００をトレイ５３の上に設置する。そして、熱膨張性シート１００が設置されたトレイ５３を筐体５１の内部に戻し、挿入部５２を閉めると、熱膨張性シート１００は、照射部６０によって光を照射可能な位置に配置される。
【００３６】
トレイ５３は、熱膨張性シート１００を筐体５１内の適正な位置に設置するための機構である。トレイ５３は、設置された熱膨張性シート１００の４辺の縁部を上から押さえることで固定する。トレイ５３は、熱膨張性シート１００を検出するセンサを備えており、熱膨張性シート１００が設置されたか否か、及び、熱膨張性シート１００が設置された場合にその熱膨張性シート１００のサイズを検出する。
【００３７】
換気部５４は、膨張装置５０における奥側の端部に設けられており、膨張装置５０の内部を換気する換気手段として機能する。換気部５４は、少なくとも１つのファンを備えており、筐体５１の内部の空気を外部に排出することで筐体５１の内部を換気する。筐体５１内の空気は、送風部６４によって外部から供給されて、換気部５４によって外部に排出される。換気部５４は、送風部６４によって外部から供給された空気を外部に排出することによって、筐体５１の内部の空気を循環させる。
【００３８】
搬送モータ５５は、例えばパルス電力に同期して動作するステッピングモータであって、照射部６０を熱膨張性シート１００の表面又は裏面に沿って移動させる。筐体５１の内部には、Ｙ方向に、すなわち熱膨張性シート１００の表面又は裏面に平行な方向に搬送レール５６が設けられている。照射部６０は、搬送レール５６に沿って移動することができるように搬送レール５６に取り付けられている。照射部６０は、搬送モータ５５の回転に伴う駆動力を動力源として、熱膨張性シート１００との距離を一定に保ちながら、搬送レール５６に沿って往復移動する。搬送モータ５５は、熱膨張性シート１００と照射部６０とを相対的に移動させる移動手段として機能する。
【００３９】
具体的に説明すると、照射部６０は、熱膨張性シート１００の奥側の端部に対応する第１の位置Ｐ１と、熱膨張性シート１００の手前側の端部に対応する第２の位置Ｐ２と、の間で往復移動する。搬送モータ５５は、照射部６０を、第１の位置Ｐ１から第２の位置Ｐ２に向かう第１の方向、及び、第２の位置Ｐ２から第１の位置Ｐ１に向かう第２の方向に移動させる。第１の位置Ｐ１は、照射部６０の初期位置（ホームポジション）である。照射部６０は、膨張装置５０が動作していない時には第１の位置Ｐ１で待機している。
【００４０】
第１の位置Ｐ１は、筐体５１内の挿入部５２が設けられた側とは反対側の位置であり、第２の位置Ｐ２は、筐体５１内の挿入部５２が設けられた側の位置である。言い換えると、第１の位置Ｐ１は、第２の位置Ｐ２よりも、膨張装置５０において熱膨張性シート１００が挿入される側の端部から離れた位置である。このように照射部６０の初期位置が筐体５１内における挿入部５２とは反対側に設けられていることで、熱膨張性シート１００を筐体５１内に挿入する際にユーザが照射部６０に触れないようにできる。そのため、ユーザは、熱膨張性シート１００を円滑に設置することができる。
【００４１】
照射部６０は、光を照射する機構であって、トレイ５３の上に配置された熱膨張性シート１００に光を照射する。図６に示すように、照射部６０は、ランプヒータ６１と、反射板６２と、温度センサ６３と、送風部６４と、バーコードリーダ６５と、を備える。
【００４２】
ランプヒータ６１は、例えばハロゲンランプを備えており、熱膨張性シート１００に対して、近赤外領域（波長７５０〜１４００ｎｍ）、可視光領域（波長３８０〜７５０ｎｍ）、又は、中赤外領域（波長１４００〜４０００ｎｍ）の光を照射する。照射部６０及びランプヒータ６１は、熱膨張性シート１００に光を照射する照射手段として機能する。カーボンブラックを含む黒色インクによる濃淡画像が印刷された熱膨張性シート１００に光を照射すると、濃淡画像が印刷された部分では、濃淡画像が印刷されていない部分に比べて、より効率良く光が熱に変換される。そのため、熱膨張性シート１００のうちの濃淡画像が印刷された部分が主に加熱され、熱膨張剤が膨張を開始する温度に達すると膨張する。
【００４３】
反射板６２は、ランプヒータ６１の上側を覆うように配置されており、ランプヒータ６１から照射された光を熱膨張性シート１００に向けて反射する機構である。温度センサ６３は、熱電対、サーミスタ等であって、反射板６２の温度を測定する測定手段として機能する。
【００４４】
送風部６４は、反射板６２の上側に設けられている。送風部６４は、少なくとも１つのファンを備えており、照射部６０に送風することによって、照射部６０を冷却する送風手段として機能する。具体的に説明すると、送風部６４は、送風部６４の上部に設けられた給気口から膨張装置５０の外部の空気を吸い込んで、吸い込んだ空気を照射部６０に送る。送風部６４によって吸い込まれた空気は、反射板６２に供給され、反射板６２が空気冷却される。また、送風部６４によって吸い込まれた空気は、照射部６０を通って膨張装置５０の内部に供給され、トレイ５３に設置された熱膨張性シート１００を含む筐体５１内の各部が冷却される。
【００４５】
バーコードリーダ６５は、熱膨張性シート１００の裏面に付されたバーコードＢを読み取る読み取り手段として機能する。バーコードリーダ６５は、熱膨張性シート１００が表面を上側に向けて膨張装置５０に挿入された場合、熱膨張性シート１００の裏面に付されたバーコードＢを、図示しないリフレクタを介して読み取る。リフレクタは、トレイ５３の奥側の端部に設置されており、バーコードリーダ６５がバーコードＢを逆側から読み取ることができるようにするための反射鏡である。これに対して、熱膨張性シート１００が裏面を上側に向けて膨張装置５０に挿入された場合、バーコードリーダ６５は、熱膨張性シート１００の裏面に付されたバーコードＢを、リフレクタを介さずに直接読み取る。
【００４６】
膨張装置５０は、バーコードリーダ６５によってバーコードＢを読み取ることができたか否かに応じて、トレイ５３に設置された媒体が膨張装置５０で使用可能か否かを判別する。立体画像を形成するための専用のシートではない媒体が膨張装置５０に挿入されると、膨張装置５０が正常に動作しない可能性がある。そのため、膨張装置５０は、バーコードリーダ６５によってバーコードＢを読み取れなかった場合には、照射部６０による光照射処理を開始しない。これにより、膨張装置５０の誤動作を抑制する。
【００４７】
電源基板６９は、電源ＩＣ（Integrated Circuit）等を備え、膨張装置５０内の各部に必要な電源を作り出して供給する。例えば、換気部５４、搬送モータ５５、ランプヒータ６１及び送風部６４は、電源基板６９から電力を得て動作する。
【００４８】
制御基板７０は、筐体５１の下部に配置された基板上に設けられており、膨張装置５０の各部の動作を制御する。図７に示すように、制御基板７０は、制御部７１と、記憶部７２と、計時部７３と、通信部７４と、を備える。
【００４９】
制御部７１は、ＣＰＵ、ＲＯＭ及びＲＡＭを備えており、命令やデータを転送するための伝送経路であるシステムバスを介して膨張装置５０の各部と接続されている。ＣＰＵは、例えばマイクロプロセッサ等であって、様々な処理や演算を実行する中央演算処理部である。制御部７１において、ＣＰＵが、ＲＯＭに記憶されている制御プログラムを読み出して、ＲＡＭをワークメモリとして用いながら、膨張装置５０全体の動作を制御する。
【００５０】
記憶部７２は、フラッシュメモリ、ハードディスク等の不揮発性メモリである。記憶部７２は、制御部７１によって実行されるプログラム又はデータ、及び、制御部７１が各種処理を行うことにより生成又は取得するデータを記憶する。計時部７３は、ＲＴＣ（Real Time Clock）等の計時デバイスを備えており、膨張装置５０の電源がオフの間も計時を継続する。
【００５１】
通信部７４は、端末装置３０と通信するためのインタフェースを備える。通信部７４は、制御部７１の制御の下、端末装置３０と有線又は無線で通信する。例えば、通信部７４は、端末装置３０においてユーザから入力された光照射処理を開始する指示を、端末装置３０から取得する。また、通信部７４は、膨張装置５０の現在の状態を示す情報を端末装置３０に送信する。
【００５２】
制御部７１は、換気部５４、搬送モータ５５、照射部６０及び送風部６４の動作を制御する制御手段として機能する。具体的に説明すると、制御部７１は、熱膨張性シート１００を膨張させる膨張処理と、照射部６０を冷却する冷却処理と、熱膨張性シート１００を乾燥させる乾燥処理と、熱膨張性シート１００を予備的に加熱する予熱処理と、を実行する。以下、順に説明する。
【００５３】
＜膨張処理＞
制御部７１は、表面又は裏面にカーボンブラックを含む濃淡画像が印刷された状態の熱膨張性シート１００に光を照射することによって、熱膨張性シート１００を膨張させる。具体的に説明すると、制御部７１は、搬送モータ５５によって照射部６０を第１の方向に移動させながら、照射部６０に光を照射させることによって、熱膨張性シート１００を膨張させる。
【００５４】
図８に、膨張装置５０が膨張処理を実行する様子を示す。膨張処理において、制御部７１は、照射部６０に電源電圧を供給してランプヒータ６１を点灯させる。そして、制御部７１は、照射部６０に光を照射させている状態で搬送モータ５５を駆動させる。これにより、制御部７１は、照射部６０を、第１の位置Ｐ１から第２の位置Ｐ２に向けて、すなわち第１の方向に、規定の距離だけ移動させる。このように、制御部７１は、照射部６０を熱膨張性シート１００の端から端まで移動させることで、熱膨張性シート１００の表面又は裏面の全体に亘って光を照射させる。
【００５５】
規定の距離は、熱膨張性シート１００のサイズに応じて異なる。例えば、熱膨張性シート１００のサイズがＡ３サイズであれば、規定の距離は、第１の位置Ｐ１から第２の位置Ｐ２までの距離である。或いは、熱膨張性シート１００のサイズがＡ４サイズであれば、規定の距離は、第１の位置Ｐ１から第２の位置Ｐ２までの半分の距離である。
【００５６】
照射部６０によって光が照射されると、熱膨張性シート１００のうちのカーボンブラックを含む濃淡画像が印刷された部分は発熱し、規定の温度にまで加熱されると膨張する。熱膨張性シート１００のうちの濃淡画像が印刷された部分は、濃淡画像における黒色の濃さに応じた高さに膨張する。これによって、熱膨張性シート１００に立体画像が形成される。
【００５７】
規定の温度は、熱膨張層１０２に含まれる熱膨張剤が膨張を開始する温度であって、例えば８０℃から１２０℃程度の温度である。制御部７１は、所定の強度で光を照射している照射部６０を所定の速度で移動させることによって、熱膨張性シート１００のうちの濃淡画像が印刷された部分を規定の温度以上に加熱する。所定の強度及び所定の速度は、熱膨張性シート１００を規定の温度以上に加熱できるように予め設定されている。
【００５８】
制御部７１は、このような膨張処理において、照射部６０に光を照射させている間は、送風を停止するように送風部６４を制御する。照射部６０による光の照射と照射部６０への送風とを同時に行うと、送風による空気の流れによってランプヒータ６１の熱が熱膨張性シート１００に伝わる。その結果、熱膨張性シート１００の加熱のされ方が安定せず、例えば熱膨張性シート１００が膨らみすぎる等のように、膨張の質が変化する。このような異常の発生を回避するために、制御部７１は、照射部６０に光を照射させている間は送風部６４に送風させず、送風部６４が送風している間は照射部６０に光を照射させない。
【００５９】
＜冷却処理＞
膨張処理を実行した後、制御部７１は、照射部６０に光の照射を停止させてから、送風部６４に送風を開始させる。そして、制御部７１は、照射部６０を第２の方向に移動させながら、送風部６４に送風させることによって、照射部６０を冷却する冷却処理を実行する。
【００６０】
図９に、膨張装置５０が冷却処理を実行する様子を示す。膨張処理の直後、照射部６０は、膨張装置５０の手前側である第２の位置Ｐ２に到達している。冷却処理において、制御部７１は、搬送モータ５５によって照射部６０を移動させながら、送風部６４に送風させる。具体的に説明すると、制御部７１は、照射部６０に対する電源電圧の供給を停めてランプヒータ６１を消灯させる。その後、制御部７１は、送風部６４を駆動させて、筐体５１の外部の空気を照射部６０及び筐体５１の内部に供給する。このように、制御部７１は、送風部６４に送風させている状態で搬送モータ５５を駆動させることによって、照射部６０を、第２の位置Ｐ２から第１の位置Ｐ１に向けて、すなわち第２の方向に移動させる。
【００６１】
このとき、制御部７１は、換気部５４を駆動させて、筐体５１内の空気を外部に排出する。このように送風部６４と換気部５４とが駆動することによって、図９に示すように、送風部６４によって外部から供給された空気は、膨張装置５０の奥側に流れ、換気部５４から外部に排出される。
【００６２】
送風部６４は、照射部６０に取り付けられているため、照射部６０と共に移動する。そのため、照射部６０を初期位置に戻しながら送風部６４に送風させることによって、照射部６０だけでなく、熱膨張性シート１００を含む筐体５１内の全体を冷却することができる。膨張処理後の熱膨張性シート１００を冷却することによって、熱膨張性シート１００が熱によって変形することを抑制することができる。
【００６３】
＜乾燥処理＞
熱膨張性シート１００は、印刷装置４０において塗布されたインクが十分に乾燥していないと、膨張処理において必要な温度まで加熱されずに、所望の高さまで膨張し難くなる。そのため、制御部７１は、印刷装置４０においてカラー画像が印刷された後、熱膨張性シート１００を乾燥させる乾燥処理を実行する。
【００６４】
乾燥処理において、制御部７１は、熱膨張性シート１００が規定の温度未満に維持されるように、搬送モータ５５によって照射部６０を移動させながら、照射部６０に光を照射させる。具体的に説明すると、制御部７１は、照射部６０に電源電圧を供給してランプヒータ６１を点灯させる。そして、制御部７１は、照射部６０に光を照射させている状態で搬送モータ５５を駆動させる。これにより、制御部７１は、図８に示すように、照射部６０を第１の位置Ｐ１から第２の位置Ｐ２に向けて、すなわち第１の方向に、規定の距離だけ移動させる。
【００６５】
このように、制御部７１は、照射部６０を熱膨張性シート１００の端から端まで移動させることで、熱膨張性シート１００の表面の全体に亘って光を照射させる。これによって、熱膨張性シート１００に含まれる水分は蒸発し、熱膨張性シート１００が乾燥する。
【００６６】
照射部６０によって光が照射されると、熱膨張性シート１００のうちのカーボンブラックを含む濃淡画像が印刷された部分は発熱する。乾燥処理において、制御部７１は、熱膨張性シート１００を膨張させずに乾燥させる。そのため、熱膨張性シート１００の移動速度及び照射部６０から照射される光の強度は、熱膨張性シート１００を規定の温度未満の温度に維持することができるように、言い換えると熱膨張性シート１００が規定の温度以上には加熱されないように、予め設定される。
【００６７】
制御部７１は、このような乾燥処理において、照射部６０に光を照射させている間は、送風を停止するように送風部６４を制御する。照射部６０による光の照射と照射部６０への送風とを同時に行うと、送風による空気の流れによってランプヒータ６１の熱が熱膨張性シート１００に伝わる。その結果、熱膨張性シート１００の加熱のされ方が安定せず、熱膨張性シート１００が適切に乾燥され難くなる。このような状況を回避するために、制御部７１は、乾燥処理において、照射部６０に光を照射させている間は送風部６４に送風させず、送風部６４が送風している間は照射部６０に光を照射させない。
【００６８】
乾燥処理を実行した後、制御部７１は、照射部６０に光の照射を停止させてから、送風部６４に送風を開始させる。そして、制御部７１は、照射部６０を第２の方向に移動させながら、送風部６４に送風させることによって、照射部６０を冷却する冷却処理を実行する。
【００６９】
乾燥処理後の冷却処理は、膨張処理後の冷却処理と同様である。具体的に説明すると、制御部７１は、送風部６４に送風させながら、搬送モータ５５を駆動させる。これにより、照射部６０は、図９に示すように、送風部６４が送風している状態で、第２の位置Ｐ２から第１の位置Ｐ１に向けて移動する。その結果、ランプヒータ６１が冷却されると共に、加熱された熱膨張性シート１００が冷却される。
【００７０】
＜予熱処理＞
制御部７１は、膨張処理を実行する前に、照射部６０に光を照射させることによって、照射部６０を予備的に加熱する予熱処理（プレヒート）を実行する。予熱処理は、膨張装置５０が膨張処理を円滑に開始することができるように、ランプヒータ６１を点灯して照射部６０を予め加熱して温める処理である。制御部７１は、例えば、膨張装置５０に電源が投入された直後、又は、膨張装置５０が予め定められた時間以上に亘って膨張処理を実行していない場合に、予熱処理を実行する。
【００７１】
予熱処理において、制御部７１は、ランプヒータ６１を点灯することによって照射部６０に光を照射させて、照射部６０の温度を予め設定された予熱温度Ｔｐｈまで上昇させる。予熱温度Ｔｐｈは、予熱処理における上限温度であって、熱膨張性シート１００が膨張を開始しないように、規定の温度未満の温度（例えば７０℃）に設定される。
【００７２】
制御部７１は、照射部６０の温度として、温度センサ６３によって測定された反射板６２の温度を参照する。そして、制御部７１は、反射板６２の温度が予熱温度Ｔｐｈまで上昇すると、照射部６０に光の照射を停止させる。なお、制御部７１は、予熱処理を実行している間、熱膨張性シート１００の全体を満遍なく温めるため、照射部６０を第１の位置Ｐ１と第２の位置Ｐ２との間で往復移動させても良い。
【００７３】
このようにして予熱処理を実行した後、制御部７１は、照射部６０に光の照射を停止させてから、送風部６４に送風を開始させることによって、照射部６０の温度を予め設定された温度に低下させる。予め設定された温度は、膨張装置５０が膨張処理を開始する温度である。制御部７１は、照射部６０の温度が予め設定された温度に低下すると、送風部６４に送風を停止させてから、照射部６０に光の照射を開始させることによって、膨張処理を開始する。
【００７４】
制御部７１は、このような予熱処理において、照射部６０に光を照射させている間は、送風を停止するように送風部６４を制御する。その理由は、膨張処理及び乾燥処理と同様である。すなわち、照射部６０による光の照射と照射部６０への送風とを同時に行うと、送風による空気の流れによってランプヒータ６１の熱が熱膨張性シート１００に伝わって、熱膨張性シート１００を適切に加熱し難くなる。このような状況を回避するために、制御部７１は、予熱処理において、照射部６０に光を照射させている間は送風部６４に送風させず、送風部６４が送風している間は照射部６０に光を照射させない。
【００７５】
＜立体画像形成処理＞
以上のように構成された立体画像形成システム１において実行される立体画像形成処理の流れについて、図１０に示すフローチャート及び図１１（ａ）〜（ｅ）に示す熱膨張性シート１００の断面図を参照して説明する。
【００７６】
第１に、ユーザは、立体画像が形成される前の熱膨張性シート１００を準備し、端末装置３０の操作部３３を介して、カラー画像データ、表面発泡データ及び裏面発泡データを指定する。そして、熱膨張性シート１００を、その表面を上側に向けて印刷装置４０に挿入する。印刷装置４０は、挿入された熱膨張性シート１００の表面に光熱変換層１０４を印刷する（ステップＳ１）。光熱変換層１０４は、光を熱に変換する材料、具体的にはカーボンブラックを含む黒色インクで形成された層である。印刷装置４０は、指定された表面発泡データに従って、熱膨張性シート１００の表面に、カーボンブラックを含む黒色インクを吐出する。その結果、図１１（ａ）に示すように、インク受容層１０３上に光熱変換層１０４が形成される。
【００７７】
第２に、ユーザは、光熱変換層１０４が印刷された熱膨張性シート１００を、その表面を上側に向けて膨張装置５０に挿入する。膨張装置５０は、挿入された熱膨張性シート１００の表面に照射部６０によって光を照射する（ステップＳ２）。熱膨張性シート１００の表面に印刷された光熱変換層１０４は、照射された光を吸収することによって発熱する。その結果、図１１（ｂ）に示すように、熱膨張性シート１００のうちの光熱変換層１０４が印刷された部分が盛り上がって膨張する。
【００７８】
第３に、ユーザは、表面が加熱されて膨張した熱膨張性シート１００を、その表面を上側に向けて印刷装置４０に挿入する。印刷装置４０は、挿入された熱膨張性シート１００の表面にカラーインク層１０５を印刷する（ステップＳ３）。具体的に説明すると、印刷装置４０は、指定されたカラー画像データに従って、熱膨張性シート１００の表面に、シアンＣ、マゼンタＭ及びイエローＹの各インクを吐出する。その結果、図１１（ｃ）に示すように、インク受容層１０３及び光熱変換層１０４の上にカラーインク層１０５が形成される。
【００７９】
なお、印刷装置４０は、カラーインク層１０５において黒又はグレーの色の画像を印刷する場合には、シアンＣ、マゼンタＭ及びイエローＹの３色のインクを混色して形成するか、或いはカーボンブラックを含まない黒色のインクを更に使用することによって形成する。これによって、カラーインク層１０５が形成された部分が膨張装置５０において加熱されることを回避する。
【００８０】
第４に、ユーザは、カラーインク層１０５が印刷された熱膨張性シート１００を裏返して、その裏面を上側に向けて膨張装置５０に挿入する。膨張装置５０は、挿入された熱膨張性シート１００の裏面に照射部６０によって光を照射し、熱膨張性シート１００を裏面から加熱する。これにより、膨張装置５０は、カラーインク層１０５中に含まれる溶媒を揮発させて、カラーインク層１０５を乾燥させる（ステップＳ４）。カラーインク層１０５を乾燥させることによって、後の工程で熱膨張性シート１００を膨張させ易くする。
【００８１】
第５に、ユーザは、カラーインク層１０５が印刷された熱膨張性シート１００を、その裏面を上側に向けて印刷装置４０に挿入する。印刷装置４０は、挿入された熱膨張性シート１００の裏面に光熱変換層１０６を印刷する（ステップＳ５）。光熱変換層１０６は、熱膨張性シート１００の表面に印刷された光熱変換層１０４と同様に、光を熱に変換する材料、具体的にはカーボンブラックを含む黒色インクで形成された層である。印刷装置４０は、指定された裏面発泡データに従って、熱膨張性シート１００の裏面に、カーボンブラックを含む黒色インクを吐出する。その結果、図１１（ｄ）に示すように、基材１０１の裏面に光熱変換層１０６が形成される。
【００８２】
第６に、ユーザは、光熱変換層１０６が印刷された熱膨張性シート１００を、その裏面を上側に向けて膨張装置５０に挿入する。膨張装置５０は、挿入された熱膨張性シート１００の裏面に、照射部６０によって光を照射する（ステップＳ６）。熱膨張性シート１００の裏面に印刷された光熱変換層１０６は、照射された光を吸収することによって発熱する。その結果、図１１（ｅ）に示すように、熱膨張性シート１００のうちの光熱変換層１０６が印刷された部分が盛り上がって膨張する。
【００８３】
なお、図１１（ａ）〜（ｅ）では、理解を容易にするため、光熱変換層１０４及びカラーインク層１０５は、インク受容層１０３の上に形成されているように示されている。しかしながら、より正確には、カラーインク及び黒色インクは、インク受容層１０３の内部に吸収されるため、インク受容層１０３の中に形成される。
【００８４】
以上のように、熱膨張性シート１００のうちの光熱変換層１０４，１０６が形成された部分が膨張することによって、熱膨張性シート１００にカラーの立体画像が形成される。光熱変換層１０４，１０６は、その濃度が濃い部分ほど大きく加熱されるため、より大きく膨張する。そのため、目標となる高さに応じて光熱変換層１０４，１０６の濃淡を調整することで、様々な形状の立体画像を得ることができる。
【００８５】
なお、熱膨張性シート１００を表面から加熱する処理と裏面から加熱する処理とのうちのどちらか一方を省略しても良い。例えば、熱膨張性シート１００の表面のみを加熱して膨張させる場合には、図１０におけるステップＳ５，Ｓ６は省略される。これに対して、熱膨張性シート１００の裏面のみを加熱して膨張させる場合には、図１０におけるステップＳ１，Ｓ２は省略される。また、ステップＳ３におけるカラー画像の印刷は、ステップＳ６における熱膨張性シート１００を裏面から加熱する処理の後で実行されても良い。
【００８６】
また、モノクロの立体画像を形成する場合には、印刷装置４０は、ステップＳ３において、カラー画像の代わりにモノクロ画像を印刷しても良い。この場合、インク受容層１０３及び光熱変換層１０４の上には、カラーインク層１０５の代わりに黒インクによる層が形成される。
【００８７】
＜膨張装置５０の動作＞
次に、図１２に示すフローチャートを参照して、膨張装置５０によって実行されるステップＳ２，Ｓ４，Ｓ６の処理の詳細について説明する。
【００８８】
表面発泡工程（ステップＳ２）において、ユーザが電源をＯＮにする（ステップＳ２１）と、膨張装置５０は、照射部６０をホームポジションにセットする（ステップＳ２２）。これにより、照射部６０の位置を初期化する。続いて、ユーザは、挿入部５２を開いてトレイ５３を取り出し、印刷装置４０において表面に光熱変換層１０４が印刷された熱膨張性シート１００を、その表面を上側に向けてトレイ５３に設置する（ステップＳ２３）。熱膨張性シート１００が設置されたトレイ５３は、筐体５１の内部に挿入され、照射部６０によって光を照射可能な位置に配置される。
【００８９】
その後、ユーザは、端末装置３０の操作部３３を操作して、熱膨張性シート１００を膨張させる指示を入力する。膨張装置５０の制御部７１は、ユーザから入力された指示を端末装置３０から受信すると、熱膨張性シート１００の設置を確認する（ステップＳ２４）。熱膨張性シート１００が正しく設置されていない場合、制御部７１は、警告を発することで、熱膨張性シート１００を正しく設置するようにユーザに要求する。
【００９０】
続いて、制御部７１は、バーコードリーダ６５を介して熱膨張性シート１００の裏面に付されたバーコードＢを読み取る（ステップＳ２５）。熱膨張性シート１００に付されたバーコードＢを読み取ることがでなかった場合、制御部７１は、熱膨張性シート１００が使用できない旨をユーザに報知して、熱膨張性シート１００を適正なものに交換するようにユーザに要求する。
【００９１】
バーコードＢの読み取りに成功した場合、制御部７１は、プレヒート（予熱処理）を実行する（ステップＳ２６）。ステップＳ２６におけるプレヒートの詳細については、図１３に示すフローチャートを参照して説明する。
【００９２】
図１３に示すプレヒートを開始すると、制御部７１は、ランプヒータ６１をＯＮ（点灯）して、照射部６０に光を照射させる（ステップＳ１０１）。ランプヒータ６１を点灯すると、反射板６２の温度は上昇し始める。制御部７１は、温度センサ６３によって測定された反射板６２の温度が予熱温度Ｔｐｈまで上昇したか否かを判定する（ステップＳ１０２）。
【００９３】
反射板６２の温度が予熱温度Ｔｐｈまで上昇していない場合（ステップＳ１０２；ＮＯ）、制御部７１は、ステップＳ１０２に留まる。その後、反射板６２の温度が予熱温度Ｔｐｈまで上昇すると（ステップＳ１０２；ＹＥＳ）、制御部７１は、ランプヒータ６１をＯＦＦ（消灯）して、照射部６０に光の照射を停止させる（ステップＳ１０３）。ランプヒータ６１をＯＦＦした後、制御部７１は、送風部６４のファンをＯＮして、送風部６４に送風させる（ステップＳ１０４）。
【００９４】
ファンを駆動させると、反射板６２の温度は低下し始める。制御部７１は、温度センサ６３によって測定された反射板６２の温度が第１の温度Ｔ１まで低下したか否かを判定する（ステップＳ１０５）。第１の温度Ｔ１は、膨張装置５０が膨張処理を開始する温度であって、例えば４０℃に設定される。
【００９５】
反射板６２の温度が第１の温度Ｔ１まで低下していない場合（ステップＳ１０５；ＮＯ）、制御部７１は、ステップＳ１０５に留まる。その後、反射板６２の温度が第１の温度Ｔ１まで低下すると（ステップＳ１０５；ＹＥＳ）、制御部７１は、ファンをＯＦＦして送風部６４に送風を停止させる（ステップＳ１０６）。以上によって、図１３に示した予熱処理は終了する。
【００９６】
図１２に示すフローチャートに戻る。プレヒートを実行した後、制御部７１は、表面発泡処理を実行する（ステップＳ２７）。表面発泡処理の詳細については、図１４に示すフローチャートを参照して説明する。
【００９７】
図１４に示す表面発泡処理を開始すると、制御部７１は、反射板６２の温度が、発泡処理を開始する温度である第１の温度Ｔ１以下であるか否かを判定する（ステップＳ２０１）。
【００９８】
反射板６２の温度が第１の温度Ｔ１以下である場合（ステップＳ２０１；ＹＥＳ）、制御部７１は、ランプヒータ６１をＯＮして、照射部６０に光を照射させる（ステップＳ２０２）。そして、制御部７１は、反射板６２の温度が第２の温度Ｔ２まで上昇したか否かを判定する（ステップＳ２０３）。第２の温度Ｔ２は、第１の温度Ｔ１より高い温度であって、例えば４５℃に設定される。
【００９９】
反射板６２の温度が第２の温度Ｔ２まで上昇していない場合（ステップＳ２０３；ＮＯ）、制御部７１は、ステップＳ２０３に留まる。その後、反射板６２の温度が第２の温度Ｔ２まで上昇すると（ステップＳ２０３；ＹＥＳ）、制御部７１は、ランプヒータ６１をＯＦＦして、照射部６０に光の照射を停止させる（ステップＳ２０４）。これに対して、反射板６２の温度が第１の温度Ｔ１より高い場合（ステップＳ２０１；ＮＯ）、温度を上昇させる必要がないため、制御部７１は、ステップＳ２０２〜Ｓ２０４の処理をスキップする。
【０１００】
その後、制御部７１は、送風部６４のファンをＯＮして、送風部６４に送風させる（ステップＳ２０５）。そして、制御部７１は、反射板６２の温度が第１の温度Ｔ１まで低下したか否かを判定する（ステップＳ２０６）。反射板６２の温度が第１の温度Ｔ１まで低下していない場合（ステップＳ２０６；ＮＯ）、制御部７１は、ステップＳ２０６に留まる。その後、反射板６２の温度が第１の温度Ｔ１まで低下すると（ステップＳ２０６；ＹＥＳ）、制御部７１は、ファンをＯＦＦして送風を停止させる（ステップＳ２０７）。このようにして、反射板６２の温度は、発泡処理の開始温度である第１の温度Ｔ１に調整される。
【０１０１】
反射板６２の温度が第１の温度Ｔ１に調整されると、制御部７１は、熱膨張性シート１００に光を照射して膨張させる処理を開始する。具体的に説明すると、制御部７１は、ランプヒータ６１をＯＮして、照射部６０に光を照射させる（ステップＳ２０８）。そして、制御部７１は、ランプヒータ６１をＯＮしてから規定時間の経過を待って、ランプヒータ６１を規定の距離だけ移動させる（ステップＳ２０９）。規定時間は、例えば５秒である。
【０１０２】
具体的に説明すると、制御部７１は、照射部６０に光を照射させながら、搬送モータ５５を駆動させる。これにより、照射部６０は、図８に示したように、光を照射しながら、第１の位置Ｐ１から第２の位置Ｐ２に向けて規定の距離だけ移動する。その結果、熱膨張性シート１００のうちの濃淡画像が印刷された部分は、規定の温度以上に加熱されて膨張する。
【０１０３】
ランプヒータ６１を移動させると、制御部７１は、ランプヒータ６１をＯＦＦして、照射部６０に光の照射を停止させる（ステップＳ２１０）。その後、制御部７１は、加熱されたランプヒータ６１及び熱膨張性シート１００を冷却する処理を実行する。具体的に説明すると、制御部７１は、送風部６４のファンをＯＮして、送風部６４に送風させる（ステップＳ２１１）。そして、制御部７１は、ランプヒータ６１をホームポジションに移動させる（ステップＳ２１２）。
【０１０４】
具体的に説明すると、制御部７１は、送風部６４に送風させながら、搬送モータ５５を駆動させる。これにより、照射部６０は、図９に示したように、送風部６４が送風している状態で、第２の位置Ｐ２から第１の位置Ｐ１に向けて移動する。その結果、ランプヒータ６１が冷却されると共に、加熱された熱膨張性シート１００が冷却される。
【０１０５】
ランプヒータ６１をホームポジションに移動させた後、制御部７１は、反射板６２の温度が第１の温度Ｔ１以下まで低下したか否かを判定する（ステップＳ２１３）。反射板６２の温度が第１の温度Ｔ１以下まで低下していない場合（ステップＳ２１３；ＮＯ）、制御部７１は、ステップＳ２１３に留まる。その後、反射板６２の温度が第１の温度Ｔ１以下まで低下すると（ステップＳ２１３；ＹＥＳ）、制御部７１は、送風部６４のファンをＯＦＦして、送風部６４に送風を停止させる（ステップＳ２１４）。以上によって、図１４に示した表面発泡処理は終了する。
【０１０６】
図１２に示すフローチャートに戻る。表面発泡処理を実行した後、ユーザは、挿入部５２を開いてトレイ５３を引き出し、熱膨張性シート１００を膨張装置５０から取り出す（ステップＳ２８）。熱膨張性シート１００は、印刷装置４０に挿入され、その表面にカラーインク層１０５が印刷される。
【０１０７】
続いて、膨張装置５０の処理は、カラーインク層１０５の乾燥工程（ステップＳ４）に移る。ユーザは、カラーインク層１０５が印刷された表面を上に向けて、熱膨張性シート１００をトレイ５３に設置する（ステップＳ４１）。続いて、制御部７１は、熱膨張性シート１００の設置を確認し（ステップＳ４２）、バーコードＢを読み取る（ステップＳ４３）。ステップＳ４１〜Ｓ４３の処理は、ステップＳ２３〜Ｓ２５の処理と同様である。
【０１０８】
バーコードＢの読み取りに成功した場合、制御部７１は、表面乾燥処理を実行する（ステップＳ４４）。ステップＳ４４における表面乾燥処理の詳細については、図１５に示すフローチャートを参照して説明する。
【０１０９】
図１５に示す乾燥処理を開始すると、制御部７１は、ランプヒータ６１をＯＮして、照射部６０に光を照射させる（ステップＳ３０１）。そして、制御部７１は、熱膨張性シート１００を規定の温度未満の温度に加熱させるように設定された速度で、ランプヒータ６１を規定の距離だけ移動させる（ステップＳ３０２）。これにより、熱膨張性シート１００の表面に印刷されたカラーインク層１０５が乾燥する。規定の距離は、膨張処理におけるものと同様である。
【０１１０】
ランプヒータ６１を移動させると、制御部７１は、ランプヒータ６１をＯＦＦして、照射部６０に光の照射を停止させる（ステップＳ３０３）。その後、制御部７１は、送風部６４のファンをＯＮして、送風部６４に送風させる（ステップＳ３０４）。そして、制御部７１は、ランプヒータ６１をホームポジションに移動させる（ステップＳ３０５）。これにより、ランプヒータ６１が冷却されると共に、加熱された熱膨張性シート１００が冷却される。
【０１１１】
ランプヒータ６１をホームポジションに移動させた後、制御部７１は、送風部６４のファンをＯＦＦして、送風部６４に送風を停止させる（ステップＳ３０６）。その後、制御部７１は、このような乾燥処理を規定回数実行したか否かを判定する（ステップＳ３０７）。
【０１１２】
乾燥処理を規定回数実行していない場合（ステップＳ３０７；ＮＯ）、制御部７１は、処理をステップＳ３０１に戻し、ステップＳ３０１〜Ｓ３０６の処理を繰り返す。これにより、制御部７１は、熱膨張性シート１００を十分に乾燥させる。規定回数は、例えば１〜３回に設定される。最終的に、乾燥処理を規定回数実行し終わると（ステップＳ３０７；ＹＥＳ）、図１５に示す表面乾燥処理は終了する。
【０１１３】
図１２に示すフローチャートに戻る。表面乾燥処理を実行した後、ユーザは、挿入部５２を開いてトレイ５３を引き出し、熱膨張性シート１００を膨張装置５０から取り出す（ステップＳ４５）。熱膨張性シート１００は、印刷装置４０に挿入され、その裏面に光熱変換層１０６が印刷される。
【０１１４】
続いて、膨張装置５０の処理は、裏面発泡工程（ステップＳ６）に移る。ユーザは、光熱変換層１０６が印刷された裏面を上に向けて、熱膨張性シート１００をトレイ５３に設置する（ステップＳ６１）。続いて、制御部７１は、熱膨張性シート１００の設置を確認し（ステップＳ６２）、バーコードＢを読み取る（ステップＳ６３）。ステップＳ６１〜Ｓ６３の処理は、ステップＳ２３〜Ｓ２５の処理と同様である。
【０１１５】
バーコードＢの読み取りに成功した場合、制御部７１は、裏面発泡処理を実行する（ステップＳ６４）。ステップＳ６４における裏面発泡処理の詳細については、図１４に示したフローチャートにおいて、表面を裏面に置き換えることによって同様に説明される。
【０１１６】
図１２に示すフローチャートに戻る。裏面発泡処理を実行した後、ユーザは、挿入部５２を開いてトレイ５３を引き出し、熱膨張性シート１００を膨張装置５０から取り出す（ステップＳ６５）。以上によって、図１２に示した膨張装置５０の処理は終了する。これにより、所望の立体画像が形成された熱膨張性シート１００が得られる。
【０１１７】
以上説明したように、本実施形態に係る膨張装置５０は、熱膨張性シート１００の表面又は裏面に沿って照射部６０を移動させながら、照射部６０に光を照射させることによって、熱膨張性シート１００を膨張させる。その際、膨張装置５０は、照射部６０に光を照射させている間は、送風部６４に送風させない。このように、照射部６０による光の照射と照射部６０への送風とを同時に行わないことで、送風によってランプヒータ６１の熱が熱膨張性シート１００に伝わって、熱膨張性シート１００の膨張の質が変化するということを抑制することができる。その結果、異常の発生を抑制しつつ、熱膨張性シート１００を適切且つ精度良く膨張させることができるため、安定した立体画像を得ることができる。
【０１１８】
また、本実施形態に係る膨張装置５０は、乾燥処理及び予熱処理においても、照射部６０に光を照射させている間は、送風部６４に送風させない。これにより、的確な制御のもとで熱膨張性シート１００を加熱することができるため、異常の発生を抑制しつつ、適切に乾燥処理及び予熱処理を実行することができる。
【０１１９】
（変形例）
以上に本発明の実施形態について説明したが、上記実施形態は一例であり、本発明の適用範囲はこれに限られない。すなわち、本発明の実施形態は種々の応用が可能であり、あらゆる実施形態が本発明の範囲に含まれる。
【０１２０】
例えば、上記実施形態では、制御部７１は、膨張処理後の冷却処理、及び乾燥処理後の冷却処理を、照射部６０を移動させながら実行した。しかしながら、本発明において、制御部７１は、照射部６０を移動させずに実行しても良い。また、制御部７１は、膨張処理及び乾燥処理のそれぞれを、照射部６０を第１の方向に移動させる際に実行した。しかしながら、本発明において、制御部７１は、必要であれば、各処理を実行するために、照射部６０を第１の位置Ｐ１と第２の位置Ｐ２との間で１回又は複数回往復させても良い。
【０１２１】
上記実施形態では、照射部６０の初期位置（ホームポジション）は、膨張装置５０の奥側であった。しかしながら、照射部６０の初期位置は、膨張装置５０の手前側であっても良い。照射部６０の初期位置が膨張装置５０の手前側である場合、第１の位置Ｐ１と第２の位置Ｐ２との位置関係を逆にすることで、上記実施形態と同様に説明することができる。また、換気部５４は、膨張装置５０の奥側以外の位置に設けられていても良い。
【０１２２】
上記実施形態では、熱膨張性シート１００は、基材１０１と熱膨張層１０２とインク受容層１０３とを備えていた。しかしながら、本発明において、熱膨張性シート１００の構成はこれに限らない。例えば、熱膨張性シート１００は、インク受容層１０３を備えなくても良い。或いは、熱膨張性シート１００は、基材１０１と熱膨張層１０２との間、又は、熱膨張層１０２とインク受容層１０３との間に、他の任意の材料による層を備えていても良い。また、熱膨張性シート１００は、基材１０１の表側だけでなく、基材１０１の裏側にもインク受容層１０３を備えていても良い。
【０１２３】
上記実施形態では、端末装置３０と印刷装置４０と膨張装置５０とは、それぞれ独立した装置であった。しかしながら、本発明において、端末装置３０と印刷装置４０と膨張装置５０とのうちの少なくともいずれか２つが一体となっていても良い。
【０１２４】
上記実施形態では、膨張装置５０は、照射部６０を移動させる移動手段として搬送モータ５５を備えており、位置が固定された熱膨張性シート１００に対して、照射部６０を移動させながら光を照射する方式で、熱膨張性シート１００を膨張させた。しかしながら、膨張装置５０は、熱膨張性シート１００を搬送する搬送機構を備えており、搬送される熱膨張性シート１００に対して、位置が固定された照射部６０から光を照射する方式で、熱膨張性シート１００を膨張させても良い。この場合、搬送機構が、熱膨張性シート１００を移動させる移動手段として機能する。言い換えると、膨張装置５０は、熱膨張性シート１００と照射部６０とを相対的に移動させることができれば、どのような方式で熱膨張性シート１００を膨張させても良い。
【０１２５】
印刷装置４０の印刷方式は、インクジェット方式に限らない。例えば、印刷装置４０は、レーザー方式のプリンタであって、トナーと現像剤とによって画像を印刷しても良い。また、光熱変換層１０４，１０６は、光を熱に変換しやすい材料であれば、カーボンブラックを含む黒インク以外の材料によって形成されても良い。この場合、光熱変換層１０４，１０６は、印刷装置４０以外の手段によって形成されるものであっても良い。
【０１２６】
上記実施形態では、制御部７１は、照射部６０に光を照射させている間は、送風部６４に送風を停止するように制御した。しかしながら、本発明において、制御部７１は、送風部６４に送風を停止させることに限らず、熱膨張性シート１００の膨張の質が変化しない程度に送風を弱めても良い。言い換えると、制御部７１は、送風部６４に送風を完全には停止させなくても良く、熱膨張性シート１００の膨張の質が変化しない程度の微弱な強さの送風であれば、送風部６４に送風させても良い。或いは、制御部７１は、送風の強さを変更することに限らず、送風部６４による送風の向きを変えても良い。送風部６４による送風の向きを照射部６０への向きから照射部６０以外への向きに変更することによって、送風の強さを変更せずとも、照射部６０に向けた送風を停止する又は弱めることができる。
【０１２７】
上記実施形態において、膨張装置５０の制御部７１は、ＣＰＵを備えており、ＣＰＵの機能によって、膨張処理、冷却処理、乾燥処理及び予熱処理を実行した。しかし、本発明に係る膨張装置５０において、制御部７１は、ＣＰＵの代わりに、例えばＡＳＩＣ（Application Specific Integrated Circuit）、ＦＰＧＡ（Field-Programmable Gate Array）、又は、各種制御回路等の専用のハードウェアを備え、専用のハードウェアが、膨張処理、冷却処理、乾燥処理及び予熱処理を実行しても良い。この場合、各処理を個別のハードウェアで実行しても良いし、各処理をまとめて単一のハードウェアで実行しても良い。また、各処理のうち、一部を専用のハードウェアによって実行し、他の一部をソフトウェア又はファームウェアによって実行しても良い。
【０１２８】
なお、本発明に係る機能を実現するための構成を予め備えた膨張装置として提供できることはもとより、プログラムの適用により、膨張装置を制御するコンピュータに、上記実施形態で例示した膨張装置５０による各機能構成を実現させることもできる。すなわち、上記実施形態で例示した膨張装置５０による各機能構成を実現させるためのプログラムを、既存の情報処理装置等を制御するＣＰＵ等が実行できるように適用することができる。
【０１２９】
このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１３０】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
（付記１）
熱膨張性シートに光を照射する照射手段と、
前記熱膨張性シートと前記照射手段とを相対的に移動させる移動手段と、
前記照射手段に送風することによって、前記照射手段を冷却する送風手段と、
前記移動手段によって前記熱膨張性シートと前記照射手段とを相対的に移動させながら前記照射手段に光を照射させることによって、前記熱膨張性シートを膨張させる膨張処理を実行する制御手段と、
を備え、
前記制御手段は、前記膨張処理において、前記照射手段に光を照射させている間は、当該照射手段に向けた送風を停止する又は弱めるように前記送風手段を制御する、
ことを特徴とする膨張装置。
（付記２）
前記制御手段は、前記膨張処理を実行した後、前記照射手段に光の照射を停止させてから、前記送風手段に送風を開始させる、
ことを特徴とする付記１に記載の膨張装置。
（付記３）
前記移動手段は、前記照射手段を、前記熱膨張性シートに沿って移動させ、
前記制御手段は、前記移動手段によって前記照射手段を第１の方向に移動させながら前記膨張処理を実行し、前記移動手段によって前記照射手段を前記第１の方向とは逆の第２の方向に移動させながら前記送風手段に送風させる、
ことを特徴とする付記２に記載の膨張装置。
（付記４）
前記熱膨張性シートは、前記膨張処理において、規定の温度以上に加熱されることによって膨張し、
前記制御手段は、前記熱膨張性シートが前記規定の温度未満に維持されるように、前記移動手段によって前記熱膨張性シートと前記照射手段とを相対的に移動させながら前記照射手段に光を照射させることによって、前記熱膨張性シートを乾燥させる、
ことを特徴とする付記１から３のいずれか１つに記載の膨張装置。
（付記５）
前記制御手段は、前記熱膨張性シートを乾燥させた後、前記照射手段に光の照射を停止させてから、前記送風手段に送風を開始させる、
ことを特徴とする付記４に記載の膨張装置。
（付記６）
前記制御手段は、前記膨張処理を実行する前に、前記照射手段に光を照射させることによって、前記照射手段を予備的に加熱する予熱処理を実行し、前記予熱処理を実行した後、前記照射手段に光の照射を停止させてから、前記送風手段に送風を開始させることによって、前記照射手段の温度を予め設定された温度に低下させる、
ことを特徴とする付記１から５のいずれか１つに記載の膨張装置。
（付記７）
付記１から６のいずれか１つに記載の膨張装置と、
前記熱膨張性シートの表面又は裏面に、前記照射手段から照射される光を熱に変換する光熱変換層を印刷する印刷装置と、を備え、
前記制御手段は、前記印刷装置によって前記光熱変換層が印刷された前記熱膨張性シートと前記照射手段とを相対的に移動させながら、前記照射手段に光を照射させることによって、前記熱膨張性シートのうちの前記光熱変換層が印刷された部分を膨張させる、
ことを特徴とする立体画像形成システム。
（付記８）
膨張装置が実行する熱膨張性シートの膨張方法であって、
前記熱膨張性シートに光を照射する照射部に送風することによって、前記照射部を冷却する送風ステップと、
前記熱膨張性シートと前記照射部とを相対的に移動させながら前記照射部に光を照射させることによって、前記熱膨張性シートを膨張させる膨張処理を実行する制御ステップと、
を含み、
前記制御ステップでは、前記膨張処理において前記照射部に光を照射させている間は、前記照射部に向けた送風を停止する又は弱めるようにする、
ことを特徴とする熱膨張性シートの膨張方法。
（付記９）
コンピュータを、
熱膨張性シートと、前記熱膨張性シートに光を照射する照射部と、を相対的に移動させる移動手段、
前記照射部に送風することによって、前記照射部を冷却する送風手段、
前記移動手段によって前記熱膨張性シートと前記照射部とを相対的に移動させながら前記照射部に光を照射させることによって、前記熱膨張性シートを膨張させる膨張処理を実行する制御手段、
として機能させ、
前記制御手段は、前記膨張処理において、前記照射部に光を照射させている間は、前記照射部に向けた送風を停止する又は弱めるように前記送風手段を制御する、
ように機能させるためのプログラム。
【符号の説明】
【０１３１】
１…立体画像形成システム、３０…端末装置、３１…制御部、３２…記憶部、３３…操作部、３４…表示部、３５…記録媒体駆動部、３６…通信部、４０…印刷装置、４１…キャリッジ、４２…印刷ヘッド、４３，４３ｋ，４３ｃ，４３ｍ，４３ｙ…インクカートリッジ、４４…ガイドレール、４５…駆動ベルト、４５ｍ…モータ、４６…フレキシブル通信ケーブル、４７…フレーム、４８…プラテン、４９ａ…給紙ローラ対、４９ｂ…排紙ローラ対、５０…膨張装置、５１…筐体、５２…挿入部、５３…トレイ、５４…換気部、５５…搬送モータ、５６…搬送レール、６０…照射部、６１…ランプヒータ、６２…反射板、６３…温度センサ、６４…送風部、６５…バーコードリーダ、６９…電源基板、７０…制御基板、７１…制御部、７２…記憶部、７３…計時部、７４…通信部、１００…熱膨張性シート、１０１…基材、１０２…熱膨張層、１０３…インク受容層、１０４，１０６…光熱変換層、１０５…カラーインク層、Ｂ…バーコード、Ｄ１…副走査方向、Ｄ２…主走査方向
【図１】
2019001137.tif 000003
【図２】
2019001137.tif 000004
【図３】
2019001137.tif 000005
【図４】
2019001137.tif 000006
【図５】
2019001137.tif 000007
【図６】
2019001137.tif 000008
【図７】
2019001137.tif 000009
【図８】
2019001137.tif 000010
【図９】
2019001137.tif 000011
【図１０】
2019001137.tif 000012
【図１１】
2019001137.tif 000013
【図１２】
2019001137.tif 000014
【図１３】
2019001137.tif 000015
【図１４】
2019001137.tif 000016
【図１５】
2019001137.tif 000017